(57)【特許請求の範囲】
【請求項１】
筒状のケーシングと該ケーシング内に配置されるオーガとを有し、前記ケーシングと前記オーガとがそれぞれ軸方向に沿って連結される複数の互いに着脱自在な分割ケーシングと分割オーガとからなる掘削装置において、前記分割ケーシングおよび前記分割オーガの接続および分離に用いられる掘削装置の分割接続装置であって、
前記分割ケーシングと該分割ケーシング内に配置される分割オーガとを相対的に移動できないように保持する第一の治具部と、
互いに接続される二つの前記分割ケーシングをほぼ同軸上に互いに離間した状態に保持する第二の治具部とを備えることを特徴とする掘削装置の分割接続装置。
【請求項２】
請求項１記載の掘削装置の分割接続装置を用いた掘削装置の組立方法であって、
前記掘削装置は、前記ケーシングに対して相対的に前記オーガを軸方向に沿って移動させる駆動手段を備え、
前記駆動手段に第一の分割ケーシングと該第一の分割ケーシング内に配置された第一の分割オーガとを接続した状態で、第一の分割ケーシングと該第一の分割ケーシングに接続される第二の分割ケーシングとを前記第二の治具部により互いに離間した状態でそれ以上離れないように保持するとともに、
前記第二の分割ケーシング内に第二の分割オーガを前記第一の治具部により第二の分割ケーシングに相対的に移動させないように保持した状態に配置し、
前記駆動手段により、第一の分割ケーシングに対して第一の分割オーガを第二の分割オーガに向って相対的に移動させて、第一の分割オーガと第二の分割オーガとを接続することを特徴とする掘削装置の組立方法。
【請求項３】
請求項２記載の掘削装置の組立方法において、
第一の分割オーガと第二の分割オーガとを接続した後に、第一および第二の分割ケーシングから第二の治具部を取外し、前記駆動手段により、第一の分割ケーシングを第二の分割ケーシングに向って相対的に移動させて、第一の分割ケーシングと第二の分割ケーシングとを接続することを特徴とする掘削装置の組立方法。
【請求項４】
請求項１記載の掘削装置の分割接続装置を用いた掘削装置の分割方法であって、
前記掘削装置は、前記ケーシングに対して相対的に前記オーガを軸方向に沿って移動させる駆動手段を備え、
前記駆動手段に前記ケーシングおよび前記オーガが接続された状態で、前記駆動手段側の第一の分割ケーシングと、該第一の分割ケーシングの前記駆動手段の反対側に接続された第二の分割ケーシングとの接続を解除するとともに、第二の分割ケーシングと該第二の分割ケーシング内の第二の分割オーガとを第一の治具部で、相対的に移動させないように保持した状態で、前記駆動手段により、前記オーガに対して前記ケーシングを軸方向に沿って前記駆動手段に近づける方向に相対的に移動させることで、第一の分割ケーシングと第二の分割ケーシングとを引き離すことを特徴とする掘削装置の分割方法。
【請求項５】
請求項４記載の掘削装置の分割方法において、
第一の分割ケーシングと第二の分割ケーシングとを引き離した後に、第一の分割ケーシング内の第一の分割オーガと第二の分割ケーシング内の第二の分割オーガとの接続を解除するとともに、引き離された第一の分割ケーシングと第二の分割ケーシングとを第二の治具部により互いに近づかないように離間した状態に保持し、
次いで、前記駆動手段により前記オーガに対して前記ケーシングを駆動手段から離れるように相対的に移動させることで、前記第一の分割オーガと前記第二の分割オーガとを引き離すことを特徴とする掘削装置の分割方法。
【発明の詳細な説明】
【０００１】
【発明の属する技術分野】
本発明は、分割可能な、ケーシングとオーガスクリューとを備えた掘削装置の分割接続装置、掘削装置の組立方法および掘削装置の分割方法に関する。
【０００２】
【従来の技術】
一般に地盤を掘削して縦穴を形成する掘削装置としてアースオーガが知られている。このアースオーガは、丸棒状の軸に下端部から上部まで螺旋状のスクリューが設けられたオーガスクリューと、このオーガスクリューを回転駆動させる駆動部とから構成されている。そしてアースオーガの一種としては、例えば、オーガスクリューが円筒状のケーシングの中に配置されたケーシングオーガといったものが知られている。
このようなケーシングオーガにおいては、搬送性や施工性を向上させるために、ケーシングおよびオーガスクリューを複数に分割できるものが開発されている。
【０００３】
図７は、２つに分割されるケーシング１２０およびオーガスクリュー１３０を備えたケーシングオーガ１００の分割接続作業の手順を示した図である。ケーシング１２０は、図７（ａ）に示すように、上部ケーシング１２１と下部ケーシング１２２とから構成され、この両者はケーシング接続ボルトで接続されている。また、オーガスクリュー１３０は、上部オーガスクリュー１３１と下部オーガスクリュー１３２とから構成され、この両者はオーガ接続ピンで接続されている。これら、ケーシング１２０とオーガスクリュー１３０とは、基端側を駆動部１１０に接続されている。
このケーシングオーガ１００を分割する際には、ケーシング接続ボルトをケーシング１２０から取り外して、クレーン等の重機により駆動部１１０側を引っ張ることで、上部ケーシング１２１、オーガスクリュー１３０も引っ張られ、図７（ｂ）に示すように、上部ケーシング１２１と下部ケーシング１２２とが離れた状態となる。そして、オーガスクリュー１３０からオーガ接続ピンを取り外し、さらに駆動部１１０を引っ張ることで、図７（ｃ）に示しように、上部オーガスクリュー１３１と下部オーガスクリュー１３２とが離れた状態となり、ケーシングオーガ１００の分割が完了する。
また、分割されたケーシングオーガ１００を接続する際には、例えば、レバーブロック２００を、図７（ｄ）に示すように、上部オーガスクリュー１３１の下端部（図では左側）と、下部オーガスクリュー１３２の上端部（図では右側）とにセットし、手動でレバーブロックを動作させることで、上部オーガスクリュー１３１と、下部オーガスクリュー１３２とが互いに引き寄せられ、図７（ｅ）に示すように、両者が接続される。そして、この両者をオーガ接続ピンによって固定し、さらに駆動部１１０、上部ケーシング１２１、オーガスクリュー１３０を下部ケーシング１２２に押し込み、図７（ｆ）に示すように、上部ケーシング１２１と下部ケーシング１２２とを接続させ、ケーシング接続ボルトによって固定する。
【０００４】
【発明が解決しようとする課題】
しかしながら、上記のようなケーシングオーガの分割作業の際には重機が必要となり、また、接続作業の際には手作業によりレバーブロックを動作させるので、重労働で時間もかかっていた。
【０００５】
そこで、本発明は、重機を使わなくともケーシングおよびオーガスクリューの分割接続作業を行うことができ、さらには短時間で分割接続作業が行える掘削装置の分割接続装置、掘削装置の組立方法および掘削装置の分割方法を提供することを目的とする。
【０００６】
【課題を解決するための手段】
請求項１記載の発明は、例えば、図１に示すように、
筒状のケーシング（４）と該ケーシング内に配置されるオーガ（オーガスクリュー１０）とを有し、前記ケーシングと前記オーガとがそれぞれ軸方向に沿って連結される複数の互いに着脱自在な分割ケーシング（上部分割ケーシング５、下部分割ケーシング６）と分割オーガ（上部分割オーガスクリュー１１、下部分割オーガスクリュー１２）とからなる掘削装置（ケーシングオーガ１）において、前記分割ケーシングおよび前記分割オーガの接続および分離に用いられる掘削装置の分割接続装置であって、
前記分割ケーシングと該分割ケーシング内に配置される分割オーガとを相対的に移動できないように保持する第一の治具部（第一ブラケット２０）と、
互いに接続される二つの前記分割ケーシングをほぼ同軸上に互いに離間した状態に保持する第二の治具部（第二ブラケット３０）とを備えることを特徴としている。
【０００７】
請求項１記載の発明によれば、掘削装置の分割接続装置には、分割ケーシングと該分割ケーシング内に配置される分割オーガとを相対的に移動できないように保持する第一の治具部と、互いに接続される二つの前記分割ケーシングをほぼ同軸上に互いに離間した状態に保持する第二の治具部とが備えられているので、該分割接続装置を、ケーシングに対して相対的にオーガを軸方向に沿って移動させる駆動手段が備えられた掘削装置に適応させると、分割ケーシングおよび分割オーガの分割／接続が、駆動手段の動作に関連づけて行うことが可能となる。つまり、従来のように重機やレバーブロックなどを用いなくとも、分割ケーシングおよび分割オーガの分割接続作業を短時間で行うことができる。
ここで、第一の治具部と、第二の治具部は、それぞれが別個に形成されていてもよいし、一個の部材がその両者の機能を兼ね備えるように形成されていてもよい。また、一個の部材がその両者の機能を兼ね備えるように形成されている場合には、各機能を備える部分がそれぞれ着脱可能に分割される構成であってもよい。
【０００８】
請求項２記載の発明は、請求項１記載の掘削装置の分割接続装置を用いた掘削装置の組立方法であって、
前記掘削装置は、前記ケーシングに対して相対的に前記オーガを軸方向に沿って移動させる駆動手段（駆動部２）を備え、
前記駆動手段に第一の分割ケーシング（上部分割ケーシング５）と該第一の分割ケーシング内に配置された第一の分割オーガ（上部オーガスクリュー１１）とを接続した状態で、第一の分割ケーシングと該第一の分割ケーシングに接続される第二の分割ケーシング（下部分割ケーシング６）とを前記第二の治具部により互いに離間した状態でそれ以上離れないように保持するとともに、
前記第二の分割ケーシング内に第二の分割オーガ（下部分割オーガスクリュー１２）を前記第一の治具部により第二の分割ケーシングに、相対的に移動させないように保持した状態に配置し、
前記駆動手段により、第一の分割ケーシングに対して第一の分割オーガを第二の分割オーガに向って相対的に移動させて、第一の分割オーガと第二の分割オーガとを接続することを特徴としている。
【０００９】
請求項２記載の発明によれば、分割接続装置と駆動手段とによって、第一の分割オーガと第二の分割オーガとが接続されるので、重機等を用いなくとも第一の分割オーガと第二の分割オーガとを接続することができる。
【００１０】
請求項３記載の発明は、請求項２記載の掘削装置の組立方法において、
第一の分割オーガと第二の分割オーガとを接続した後に、第一および第二の分割ケーシングから第二の治具部を取外し、前記駆動手段により、第一の分割ケーシングを第二の分割ケーシングに向って相対的に移動させて、第一の分割ケーシングと第二の分割ケーシングとを接続することを特徴としている。
【００１１】
請求項３記載の発明によれば、分割接続装置と駆動手段とによって、第一の分割ケーシングと第二の分割ケーシングとが接続されるので、重機等を用いなくとも第一の分割ケーシングと第二の分割ケーシングとを接続することができる。
【００１２】
請求項４記載の発明は、請求項１記載の掘削装置の分割接続装置を用いた掘削装置の分割方法であって、
前記掘削装置は、前記ケーシングに対して相対的に前記オーガを軸方向に沿って移動させる駆動手段を備え、
前記駆動手段に前記ケーシングおよび前記オーガが接続された状態で、前記駆動手段側の第一の分割ケーシングと、該第一の分割ケーシングの前記駆動手段の反対側に接続された第二の分割ケーシングとの接続を解除するとともに、第二の分割ケーシングと該第二の分割ケーシング内の第二の分割オーガとを第一の治具部で、相対的に移動させないように保持した状態で、前記駆動手段により、前記オーガに対して前記ケーシングを軸方向に沿って前記駆動手段に近づける方向に相対的に移動させることで、第一の分割ケーシングと第二の分割ケーシングとを引き離すことを特徴としている。
【００１３】
請求項４記載の発明によれば、分割接続装置と駆動手段とによって、第一の分割ケーシングと第二の分割ケーシングとが引き離されるので、重機等を用いなくとも第一の分割ケーシングと第二の分割ケーシングとを引き離すことができる。
【００１４】
請求項５記載の発明によれば、請求項４記載の掘削装置の分割方法において、
第一の分割ケーシングと第二の分割ケーシングとを引き離した後に、第一の分割ケーシング内の第一の分割オーガと第二の分割ケーシング内の第二の分割オーガとの接続を解除するとともに、引き離された第一の分割ケーシングと第二の分割ケーシングとを第二の治具部により互いに近づかないように離間した状態に保持し、
次いで、前記駆動手段により前記オーガに対して前記ケーシングを駆動手段から離れるように相対的に移動させることで、前記第一の分割オーガと前記第二の分割オーガとを引き離すことを特徴としている。
【００１５】
請求項５記載の発明によれば、分割接続装置と駆動手段によって、第一の分割オーガと第二の分割オーガとが引き離されるので、重機等を用いなくとも第一の分割オーガと第二の分割オーガとを引き離すことができる。
【００１６】
【発明の実施の形態】
以下、この発明の実施の形態について、図１〜図６の図面を参照しながら説明する。
【００１７】
本実施の形態にかかる掘削装置の分割接続装置を説明するにあたって、まず、掘削装置として例示されるケーシングオーガ１について説明する。
【００１８】
ケーシングオーガ１は、地盤を掘削し縦穴を形成する装置であり、図１（ａ）に示すように、筒状のケーシング４と、該ケーシング４の内部に配置されるオーガスクリュー（オーガ）１０と、該オーガスクリュー１０およびケーシング４が接続され、この両者を動作させる駆動部（駆動手段）２などを主体に構成されている。
【００１９】
ケーシング４は、上端側（図では右側）を油圧シリンダ３に接続されており、この油圧シリンダ３が動作することに基づいて、軸方向に沿って移動可能となっている。このケーシング４は、互いに着脱自在な上部分割ケーシング（第一の分割ケーシング）５と下部分割ケーシング（第二の分割ケーシング）６とから構成されている。
上部分割ケーシング５の下端部には、その周縁から外方に向かって一様に延出する接続部７が設けられおり、この接続部７には複数のボルト孔（図示略）が備えられている。同様に、下部分割ケーシング６の上端部には、周縁から外方に向かって一様に延出する接続部８が設けられており、この接続部８には、上部分割ケーシング５の接続部７のボルト孔に対応するように複数のボルト孔（図示略）が設けられている。つまり、上部分割ケーシング５と下部分割ケーシング６の両者のボルト孔に接続ボルトをねじ込むことで、上部分割ケーシング５と下部分割ケーシング６とを接続している。
また、下部分割ケーシング６の接続部８付近には、俵形状に開口し、オーガスクリュー１０を外部に臨ませるケーシング排出口６ａ（図５等に図示）が設けられており、このケーシング排出口６ａによって、ケーシング４内部を移動する土砂等をケーシング４外部へと排出できる。
【００２０】
オーガスクリュー１０は、軸１３と、該軸１３の上端から下端まで螺旋状に設置されるスクリュー１４とを備えており、上端側で駆動部２に接続されている。そして、このオーガスクリュー１０は、ケーシング４と同様に、軸方向に沿って連結され、互いに着脱自在な上部分割オーガスクリュー（第一の分割オーガ）１１と、下部分割オーガスクリュー（第二の分割オーガ）１２とから構成されている。そして、この両者は、オーガ接続ピン（図示略）によって固定されている。
【００２１】
駆動部２は、オーガスクリュー１０を垂直な中心軸まわりに回転させるオーガモータ２ａと、ケーシング４に対して相対的に前記オーガスクリュー１０を軸方向に沿って移動させる油圧シリンダ３などを備えている。
【００２２】
ケーシングオーガ１は、以上のように構成されており、該ケーシングオーガ１を分割接続作業時に、以下に説明する分割接続装置を用いることで、重機等を用いなくとも分割および接続が行うことができる。
【００２３】
分割接続装置は、第一ブラケット（第一の治具部）２０と、第二ブラケット（第二の治具部）３０とから構成されている。
第一ブラケット２０は、前記ケーシングオーガ１を分割する際に、下部分割ケーシング６のケーシング排出口６ａを介して、オーガスクリュー１０のスクリュー１４に取付けられ、下部分割ケーシング６と、該下部分割ケーシング６内に配置される下部分割オーガスクリュー１２とを相対的に移動できないように保持するものである。
この第一ブラケット２０は、図２（ａ）に示すように、第一ブラケット本体２１と、該第一ブラケット本体２１の上部にコ字状に取付けられた取っ手２２とから構成されている。
第一ブラケット本体２１には、オーガスクリュー１０のスクリュー１４を挟み込み保持するように開口した切欠部２３と、オーガスクリュー１０の軸１３に当接する当接部２４と、ケーシング４に接触する接触部２５、２６とが設けられている。
切欠部２３は、第一ブラケット本体の下部でスリット状に開口しており、さらに下方が広くなるように面取りされている。
当接部２４は、図２（ｂ）に示すように、第一ブラケット本体２１の下部で前後両面から先端を下方に傾けるように突出している。このため、第一ブラケット２０の下面と当接部２４の下面とが屈曲した状態となり、第一ブラケット２０をオーガスクリュー１０のスクリュー１４に取付けた際には、第一ブラケット２０の下面と当接部２４の下面とが、オーガスクリュー１０の軸１３の側面上に当接し、第一ブラケット２０をオーガスクリュー１０の側面上に起立させることができる。
接触部２５、２６は、図２（ｃ）に示すように、第一ブラケット本体２１の両側部に設けられている。そして、接触部２５、２６の側面形状は、下部分割ケーシング６と接触部２５、２６との接触面積を大きくし第一ブラケット２０自身に生じる圧力を小さくするために、俵形状で開口するケーシング排出口６ａの前後の湾曲部分と略同形状となるように形成されている。
【００２４】
第二ブラケット３０は、上部分割オーガスクリュー１１と下部分割オーガスクリュー１２とを分割および接続する際に、上部分割ケーシング５と下部分割ケーシング６とをほぼ同軸上に互いに離間した状態に保持するものである。
この第二ブラケット３０は、図３（ｂ）に示すように、一様の厚みで形成されており、図３（ａ）に示すように、ブラケット本体３１と、このブラケット本体３１の下方でコ字状に突出する保持部３２と、ブラケット本体３１の両端から上方に向かって延出する延出部３３、３４とを備えている。また、延出部３４には、内側に向かって突出する突出片３５が設けられている。
保持部３２は、ほぼ同軸上に互いに離間する上部分割ケーシング５と下部分割ケーシング６の間に挟まれることによって、この両者が寄合うことを規制する。また、保持部３２には、第二ブラケット３０の持ち運びを容易にするための開口部３６が設けられている。
延出部３３、３４は、ほぼ同軸上に互いに離間する上部分割ケーシング５と下部分割ケーシング６とのそれぞれの接続部７、８を挟み込むことによって、この両者がさらに離間していくことを規制する。
ここで、保持部３２の幅Ｈ２は、油圧シリンダ３の伸縮長さと略同等の長さに設定されている。また、延出部３３、３４の両者間Ｈ１は、保持部３２の幅Ｈ２と、上部分割ケーシング５の接続部７の幅と、下部分割ケーシング６の接続部８の幅とを加えた長さとなっている。つまり、保持部３２または延出部３３、３４のいずれにおいても、上部分割ケーシング５と下部分割ケーシング６との間隔が略同等の長さ、すなわち油圧シリンダ３の伸縮長さに規制されることとなる。
また、延出部３４の突出片３５は、延出部３４、３５で上部分割ケーシング５の接続部７と下部分割ケーシング６の接続部８とを挟みこむときに、接続部７、８の何れかのボルト孔に挿入されることで、第二ブラケットの位置合わせを可能とするとともに、第二ブラケット３０をはずれ難くすることを可能としている。
【００２５】
次に、ケーシングオーガ１の分割方法および組立方法の説明をする。
初めに、ケーシングオーガ１の分割方法について説明する。
図１は、ケーシングオーガ１の分割作業工程を表わす図である。
第一工程では、ケーシングオーガ１の分割を行う際に、図１（ａ）に示すように、先ず、駆動部２の油圧シリンダ３を伸ばした状態で、接続ボルトを取り外し、上部分割ケーシング５と下部分割ケーシング６との接続を解除し、この両者を離間可能な状態にする。そして、第一ブラケット２０を、ケーシング排出口６ａを介してオーガスクリュー１０に取付け、下部分割ケーシング６と下部分割オーガスクリュー１２とが相対的に移動しないように保持する。このとき、下部分割ケーシング６の後方（図では右側）への移動を規制するために、図５（ａ）、（ｂ）に示すように、第一ブラケット２０をケーシング排出口６ａの先端側（図では左側）に配置する。
【００２６】
第二工程では、図１（ｂ）に示すように、駆動部２の油圧シリンダ３を縮ませることで、オーガスクリュー１０に対してケーシング４を軸方向に沿って油圧シリンダ３に近づける方向に相対的に移動させる。このとき、下部分割ケーシング６は、第一ブラケット２０によって、後方への移動が規制されているので、そのままの位置で待機している。このため、下部分割ケーシング６と上部分割ケーシング５の間には、前記油圧シリンダ３の伸縮長さ分だけ間隔が生じることとなる。
そして、前記油圧シリンダ３を最後まで縮ませたら、第一ブラケット２０の配置場所を、図６（ａ）、（ｂ）に示すように、下部分割ケーシング６の先方への移動を規制するために、ケーシング排出口６ａの後端側に変更する。
【００２７】
第三工程では、図１（ｃ）に示すように、上部分割ケーシング５と下部分割ケーシング６との間に、第二ブラケット３０の保持部３２を挿入するとともに、上部分割オーガスクリュー１１と下部分割オーガスクリュー１２とを接続するオーガ接続ピンを取り外して接続を解除し、この両者を離間可能な状態にする。
【００２８】
第四工程では、図１（ｄ）に示すように、駆動部２の油圧シリンダ３を伸長させることで、オーガスクリュー１０に対して、上部分割ケーシング５、第二ブラケット３０、下部分割ケーシング６を油圧シリンダ３から離れるように相対的に移動させる。この際、下部分割オーガスクリュー１２は、第一ブラケット２０によって、下部分割ケーシング６に固定されているので、下部分割ケーシング６と一緒に先端側へと移動する。このため、上部分割オーガスクリュー１１と下部分割オーガスクリュー１２とが分割することとなる。
以上の工程に基づいて、ケーシングオーガ１の分割作業が終了する。
【００２９】
次に、ケーシングオーガ１の組立方法について説明する。
図４は、ケーシングオーガ１の接続作業工程を表わす図である。
第一行程では、ケーシングオーガ１の接続を行う際には、図４（ａ）に示すように、先ず、駆動部２の油圧シリンダ３を伸ばした状態とし、下部分割ケーシング６の上面と、上部分割ケーシング５の下面とが対向するように、下部分割ケーシング６をセットする。そして、第二ブラケット３０の保持部３２によって、この両者が互いに離間した状態でそれ以上離れないように保持する。その後、下部分割ケーシング６の先端から下部分割オーガスクリュー１２を挿入し、下部分割ケーシング６に対して、分割終了時と略同位置となるようにセットする。そして、第一ブラケット２０をケーシング排出口６ａから下部分割オーガスクリュー１２に取付け、下部分割ケーシング６と下部分割オーガスクリュー１２とが相対的に移動しないように保持する。このとき、分割作業の第一工程と同様に、下部分割ケーシング６の後方（図では右側）への移動を規制するために、図５（ａ）、（ｂ）に示すように、第一ブラケット２０をケーシング排出口６ａの先端側（図では左側）に配置する。
【００３０】
第二工程では、図４（ｂ）に示すように、駆動部２の油圧シリンダ３を縮ませることで、上部分割ケーシング５に対して上部分割オーガスクリュー１１を下部分割オーガスクリュー１２に向かって相対的に移動させる。この動作に伴って、上部分割ケーシング５、第二ブラケット３０、下部分割ケーシング６が後方へと移動する。この際、下部分割オーガスクリュー１２は、第一ブラケット２０によって、下部分割ケーシング６に固定されているので、下部分割ケーシング６と一緒に後方へと移動する。このため、上部分割オーガスクリュー１１と下部分割オーガスクリュー１２とを接続することができる。
【００３１】
第三工程では、図４（ｃ）に示すように、上部分割ケーシング５と下部分割ケーシング６から第二ブラケット３０を取外すとともに、オーガ接続ピンによって、上部分割オーガスクリュー１１と下部分割オーガスクリュー１２とを接続する。そして、第一ブラケット２０の配置場所を、図６（ａ）、（ｂ）に示すように、下部分割ケーシング６の先方への移動を規制するために、ケーシング排出口６ａの後端側（図では右側）に変更する。
【００３２】
第四工程では、図４（ｄ）に示すように、駆動部２の油圧シリンダ３を伸長させて、上部分割ケーシング５を下部分割ケーシング６に向かって相対的に移動させる。そして、上部分割ケーシング５の接続部７と下部分割ケーシング６の接続部８とが接触すると、この両者の接続を固定するために、接続ボルトをボルト孔にねじ込み接続作業は終了する。
以上の工程に基づいて、ケーシングオーガ１の接続作業が終了する。
【００３３】
以上のように本実施の形態の掘削装置の分割接続装置によれば、掘削装置（ケーシングオーガ１）に備わった駆動部２の動作に基づいて、ケーシング４およびオーガスクリュー１０の分割接続作業が行えるので、従来のように重機やレバーブロックなどを用いなくとも、ケーシング４およびオーガスクリュー１０の分割接続作業を短時間で行うことができる。
また、第一ブラケット２０は、ケーシング排出口６ａを介してオーガスクリュー１０に取付けられる構成となっているので、ケーシング４の外側から第一ブラケット２０を取付けることができる。特に、ケーシング排出口６ａは、一般的に、ケーシングオーガ１に設けられているものなので、本発明の分割接続装置を用いる際に、新たにケーシング４に開口部等を設ける必要がない。
【００３４】
なお、上記実施の形態は、本発明を例示したに過ぎず、適宜変更可能である。
また、本実施の形態では、ケーシング４とオーガスクリュー１０とが２分割される構成となっているが、これ以上の分割数であっても適用可能である。
【００３５】
【発明の効果】
請求項１記載の発明によれば、分割接続装置を、ケーシングに対して相対的にオーガを軸方向に沿って移動させる駆動手段が備えられた掘削装置に適応させると、分割ケーシングおよび分割オーガの分割／接続が、駆動手段の動作に関連づけて行うことが可能となる。つまり、従来のように重機やレバーブロックなどを用いなくとも、分割ケーシングおよび分割オーガの分割接続作業を短時間で行うことができる。
【図面の簡単な説明】
【図１】  ケーシングオーガの分割方法を説明する図である。
【図２】  前記分割組立方法に用いられる第一ブラケットを表わす図である。
【図３】  前記分割組立方法に用いられる第二ブラケットを表わす図である。
【図４】  図１のケーシングオーガの組立方法を説明する図である。
【図５】  図１の第一工程時および図２の第一工程時の第一ブラケットの取付位置を表わす図である。
【図６】  図１の第二工程時および図２の第三工程時の第一ブラケットの取付位置を表わす図である。
【図７】  従来のケーシングオーガの分割接続作業工程を説明する図である。
【符号の説明】
１  ケーシングオーガ（掘削装置）
２  駆動部（駆動手段）
４  ケーシング
５  上部分割ケーシング（分割ケーシング、第一の分割ケーシング）
６  下部分割ケーシング（分割ケーシング、第二の分割ケーシング）
１０  オーガスクリュー（オーガ）
１１  上部分割オーガスクリュー（分割オーガ、第一の分割オーガ）
１２  下部分割オーガスクリュー（分割オーガ、第二の分割オーガ）
２０  第一ブラケット（第一の治具部）
３０  第二ブラケット（第二の治具部）
【図１】
0004733304.tif 000002
【図２】
0004733304.tif 000003
【図３】
0004733304.tif 000004
【図４】
0004733304.tif 000005
【図５】
0004733304.tif 000006
【図６】
0004733304.tif 000007
【図７】
0004733304.tif 000008